(57)【要約】 【課題】  有害光の反射を確実に防止するとともに、容易に製造し得る光学機器の外装材を提供すること。【解決手段】  炭素を含む部材を炭化すると、炭化部分が黒色に変色するとともに、その表面強度が増す。そこで、炭素を含む部材からなる部材を光学機器の外装材として使用するとともに、その外装材に、光を通過させるための光学的開口部４を形成し、この光学的開口部４の周縁部４ａを炭化することにより、光の反射を防止し耐久性を向上させる。【選択図】    図２
2005208122.tif 000002
【特許請求の範囲】
【請求項１】
炭素を含む部材からなる光学機器の外装材であって、
光を通過させるための光学的開口部を備え、
該光学的開口部の周縁部を炭化することを特徴とする光学機器の外装材。
【請求項２】
前記炭素を含む部材が木材であることを特徴とする請求項１に記載の光学機器の外装材。
【請求項３】
前記光学機器の外装材がレンズを保持する鏡枠であって、該鏡枠の内壁面の少なくとも一部を炭化することを特徴とする請求項１または請求項２に記載の光学機器の外装材。
【発明の詳細な説明】
【技術分野】
【０００１】
本発明は、カメラ付き携帯電話機やカメラ等の光学機器の外装材に関するものである。
【背景技術】
【０００２】
近年、カメラ付き携帯電話機やカメラ等の各種光学機器が普及してきており、これら光学機器の外装材として、合成樹脂や軽金属が多く使われている。これら光学機器の外装には、例えばカメラのレンズ回りやファインダーなどのように、光学的開口部が形成されており、上記種々の光学機器はこの光学的開口部を介して入射光を取り込むようになっている。また、例えばデジタルカメラなどのように、この光学的開口部に画像等を表示する表示部を設けて、撮影時における撮影状態を確認できるようにしたものがある。
【０００３】
これらの光学的開口部を介して、必要な入射光が取り込まれたり、表示面に映る画像が外部に放出されるが、その一方で、光学的開口部の縁部に到達した光は、そこで反射して有害光となり、これら有害反射光が、像の質を劣化させたり、表示部の表示を見難くさせてしまう。
従来より、これら反射を防止するために、必要な箇所につや消し塗装を施すことが知られている（例えば、特許文献１参照。）。
【特許文献１】特開平０９−１５４７６号公報
【発明の開示】
【発明が解決しようとする課題】
【０００４】
しかしながら、上記のように塗装を施すものでは、もともと塗装材と外装材とが別部材であるため、時間の経過や塗装部分への接触等により塗装材が剥げ落ちるおそれがあり、これら塗装材が剥げ落ちた場合には、反射防止効果が低下するだけでなく、剥げ落ちた塗装材がレンズ等に付着してしまうという問題がある。
また、開口部を設けることにより、その周辺の強度が低下してしまうが、塗装によってその強度を上げるにも限界がある。
さらに、塗料等の液体を所定の位置にはみ出さないよう正確に塗布するのは困難であり製造上の障害ともなり得る。
【０００５】
本発明は、このような事情に鑑みてなされたもので、有害光の反射を確実に防止するとともに、耐久性に優れ、容易に製造し得る光学機器の外装材を提供することを目的としている。
【課題を解決するための手段】
【０００６】
上記課題を解決するために、本発明は以下の手段を提供する。
請求項１に係る発明は、炭素を含む部材からなる光学機器の外装材であって、光を通過させるための光学的開口部を備え、該光学的開口部の周縁部を炭化することを特徴とする。
炭素を含む部材を炭化すると、その部分の素材自体が黒色に変色し、そこに到達した光の反射が抑えられるだけでなく、炭化部分の表面強度が増す。
そのため、別部材である塗装材のように黒色の部分が剥がれ落ちることがなく、長期にわたって充分な反射防止効果を維持することができるとともに、開口部の強度を高め耐久性を向上させることができる。また、炭化という簡単な手順によって、それら外装材を容易に製造することができる。
【０００７】
請求項２に係る発明は、請求項１に記載の光学機器の外装材において、前記炭素を含む部材が木材であることを特徴とする。
通常、これら光学機器の外装材として使用されるのは強度上有利な合成樹脂や軽金属である。しかし、木材にも、使用するにしたがってその者の手になじみ、やさしい触感を与えるという利点がある。これら木材を炭化することにより、その炭化部分が上記と同様に黒色に変色するとともに、表面強度が高くなる。
これにより、木材の利点を生かしながら、開口部の強度を上げ、耐久性を向上させた木製の外装材として利用することができる。
【０００８】
請求項３に係る発明は、請求項１または請求項２に記載の光学機器の外装材において、前記光学機器の外装材がレンズを保持する鏡枠であって、該鏡枠の内壁面の少なくとも一部を炭化することを特徴とする。
前記光学機器の外装材がレンズを保持する鏡枠として使用され、この鏡枠の内壁面の少なくとも一部を炭化することにより、その内壁面が変色する。
これにより、有害光の反射を効果的に防止し、より質の高い像を得ることができる。
【発明の効果】
【０００９】
本発明によれば、光の反射を確実に防止することができるとともに、耐久性を向上させることができる。また、これらの外装材を容易に製造することができる。
【発明を実施するための最良の形態】
【００１０】
（実施例１）
以下、本発明の第１の実施例における光学機器の外装材について、図面を参照して説明する。本実施例では、光学機器の外装材をデジタルカメラに適用した場合を例に挙げて説明する。
図１において、符号１は、本発明の第１の実施例としてのデジタルカメラを示したものである。
デジタルカメラ１は、図１に示すように、例えば、檜、桐、チーク、マホガニー、杉、松、桜、竹といった木材からなる略矩形のフロントケース２とリアケース３とがそれぞれ重ね合わされて構成されている。
フロントケース２には、その中央部より長さ方向、すなわち矢印Ｓ方向に若干偏心させた位置に円形開口部（光学的開口部）４が形成されており、この円形開口部４の内部に、鏡枠６に支持されたレンズ７が設けられている。すなわち、鏡枠６は、図２に示すように、筒状に形成されており、その鏡枠開口部１３の先端に設けられた係止部６ａにレンズ７が固定された状態になっている。
さらに、円形開口部４の周縁部４ａは、後述するガスバーナー２０によって炭化されており、この炭化部４ｂが黒色に変色するとともに、その表面強度が増した状態になっている。これら炭化部４ｂにより、そこに到達した光が吸収され反射が抑えられるようになっている。
【００１１】
また、円形開口部４の近傍であってフロントケース２の幅方向の端部には、図１に示すように、フロント矩形開口部（光学的開口部）５が形成されている。フロント矩形開口部５には、ガラス面１１が嵌め込まれており、これらフロント矩形開口部５やガラス面１１は、ファインダー１５を構成している。そして、フロント矩形開口部５の周縁部５ａにも、円形開口部４と同様の炭化部５ｂが設けられており、表面強度を増すとともに光の反射を抑制するようになっている。
【００１２】
また、フロントケース２の幅方向の両端には、矢印Ｓ方向に向けられた長溝１２がそれぞれ形成されており、これら両長溝１２を介して木材からなるスライドカバー８が取り付けられている。すなわち、スライドカバー８には、その両端に爪部８ａが設けられており、これら爪部８ａが両長溝１２にそれぞれ係合されることにより、スライドカバー８は矢印Ｓ方向に往復移動可能に支持されている。そして、このスライドカバー８を、レンズ７に一致する位置までスライドさせる、すなわちスライドカバー８を閉じると、レンズ７が覆い隠され、その表面が保護されるようになっており、反対にスライドカバー８を、レンズ７が外方に露出する位置までスライドさせる、すなわちスライドカバー８を開けると、このレンズ７によって撮影可能な状態になるようになっている。
なお、符号９はシャッターボタン、符号１０はズームボタンを示したものである。
【００１３】
また、リアケース３には、図３に示すように、フロント矩形開口部５と対向する位置にリア矩形開口部（光学的開口部）２２が形成されている。リア矩形開口部２２には、フロント矩形開口部５と同様に、ガラス面１１が嵌め込まれ、これらがファインダー１５を構成している。そして、リア矩形開口部２２の周縁部２２ａにも炭化部２２ｂが設けられている。
さらに、リアケース３には、矩形の表示開口部（光学的開口部）２４が形成されており、この表示開口部２４の内部に表示部２１が設けられている。そして、表示開口部２４の周縁部２４ａにも炭化部２４ｂが設けられ、表面強度を増すとともに光の反射を抑制するようになっている。
なお、符号２３は各種操作を行う操作ボタンを示している。
【００１４】
次に、このように構成された本実施例におけるデジタルカメラ１の作用について説明する。
このデジタルカメラ１により撮影を行う場合には、スライドカバー８を開けて、レンズ７を露出させる。そして、レンズ７を被写体に向け、リアケース３に設けられたファインダー１５または表示部２１を介して撮影状態を確認しながら、シャッターボタン９を押す。一方、撮影を行わず、このデジタルカメラ１を携行する場合には、スライドカバー８を閉じて、レンズ７を覆い隠した状態で鞄やポケットなどに収容する。このスライドカバー８によって、携行時におけるレンズ７の表面の損傷が防止される。
【００１５】
ここで、光を通過させる光学的開口部に種々の光が到達すると、その周縁部で反射してしまい、それら種々の光が有害光となり得るが、本実施例におけるデジタルカメラ１においては、以下のように炭化されていることから光の反射が防止される。
すなわち、例えば円形開口部４について説明すると、図４に示すように、円形開口部４の端面を除いたフロントケース２の表面を断熱材１６によって一時的に覆い、この状態で、円形開口部４に向けてガスバーナー２０から炎を吹き付ける。これにより、断熱材１６に覆われていない円形開口部４の端面が炭化し、黒色に変色する。それとともに、この炭化した部分の表面の強度が増す。これらをデジタルカメラ１のレンズ７回りの開口部として利用することにより、炭化した部分に到達した光が吸収され、その反射が抑えられる。これら炭化処理は、他の各周縁部５ａ，２２ａ，２４ａにも同様に行われる。
【００１６】
以上より、本実施例におけるデジタルカメラ１によれば、各開口部４，５，２２，２４の周縁部４ａ，５ａ，２２ａ，２４ａが炭化されて黒色に変色していることから、到達した光を吸収し、その反射を防止することができる。これにより、反射光によって生じるゴースト・フレア等による画質の悪化を防止し、高品質な画像を得ることができる。また、ファインダー１５や表示部２１において、反射光によって撮影状態が見難くなるのを防止することができる。
また、炭化によると、その部分の素材自体が変色するため、別部材を塗布する塗装と違って、塗装材等が剥がれ落ちることがない。さらに、例え表面が削れるようなことがあっても、炭化によって木材内部まで黒く変色しているため、炭化前の色が現出することもない。そのため、上記のような反射防止効果を長期にわたって確実に維持することができる。
また、炭化によって表面強度が増しているため、そもそも周縁部４ａ，５ａ，２２ａ，２４ａが欠けたり損傷したりするのを防止することができる。これにより、各開口部４，５，２２，２４周縁の耐久性を向上させることができ、木製の外装材として充分利用することができる。
さらに、液体である塗料を塗布するのと違って、炭化という簡単な手順によって反射を防止することができるため、これら外装材として容易に製造することができる。
【００１７】
図５は、本実施例の炭化処理の第１変形例における様子を示したものである。
図５において、図４に記載の構成要素と同一部分については同一符号を付し、その説明を省略する。
この変形例においては、加熱した略円錐状の加熱部材２５を、円形開口部４に挿入し、加熱部材２５の外表面と円形開口部４の端面とを接触させることにより、炭化を行うものである。また、その他の矩形状の開口部５，２２，２４の場合には、加熱部材２５を略角錐状にして炭化処理を行う。
以上より、上記と同様の効果を奏することができるとともに、より簡単に炭化処理を行うことができる。
【００１８】
図６は、本実施例の炭化処理の第２変形例における様子を示したものである。
図６において、図４に記載の構成要素と同一部分については同一符号を付し、その説明を省略する。
この変形例においては、加熱した略円錐状の回転型切削工具２６を、軸線Ｌを中心として回転させ、かつ軸線Ｍを中心として公転させることにより、切削と炭化を同時に行うものである。これにより、円形開口部４を形成すると同時に、その端面の炭化処理を行うことができる。
以上より、上記と同様の効果を奏することができるとともに、より簡単かつ迅速に炭化処理を行うことができる。
【００１９】
図７は、本実施例の炭化処理の第３変形例における様子を示したものである。
図７において、図４に記載の構成要素と同一部分については同一符号を付し、その説明を省略する。
この変形例においては、所定の角度に設けられた反射鏡２８を光軸Ｎを中心として回転させ、この反射鏡２８に向けて光源２７からレーザ光を照射することにより、そのレーザ光が反射鏡２８の反射面に到達し、そこで反射する。そしてこの反射光が円形開口部４の端面に到達する。この到達地点は、反射鏡２８の回転により、円形開口部４の端面の周方向に連続的に移動する。これにより、円形開口部４の端面の全周が炭化される。なお、開口部の端面に光軸Ｎ方向に沿った段差があるときには、必要に応じて、設置角度を変更したり、反射鏡２８を光軸Ｎ方向に移動させたりすればよい。
以上より、レーザ光のもつ密度の高いエネルギーによって、短時間で炭化させることができるとともに、レーザ光の強度や照射時間などを制御することにより、バラツキのない安定した焼き具合を得ることができる。
【００２０】
次に、本発明の第２の実施例について説明する。
図８は、本発明の第２の実施例を示したものである。
図８において、図２に記載の構成要素と同一部分については同一符号を付し、その説明を省略する。
この実施例と上記第１の実施例とは基本的構成は同一であり、以下の点において異なるものとなっている。
すなわち、本実施例においては、鏡枠６が例えば炭化水素系樹脂等の炭素を含んだ素材からなり、鏡枠６の内壁面６ｃの先端部が炭化されたものである。さらに、スライドカバー８を開けると、鏡枠６が外方に向けて移動し、鏡枠６の先端が円形開口部４から突出した状態になるようになっている。
以上より、鏡枠６が円形開口部４から突出した状態となっても、鏡枠６の先端部に設けられた炭化部６ｂに到達した光の反射を防止し、上記と同様の効果を奏することができる。
【００２１】
なお、上記第１の実施例においては、フロントケース２およびリアケース３を木材からなるものとしたが、これに限ることはなく、例えば炭化水素系樹脂等の炭素を含む部材であればよい。
また、上記第２の実施例においては、鏡枠６の内壁面６ｃの先端部を炭化するとしたが、これに限ることはなく、例えば鏡枠６内に複数のレンズ７を設置するような場合に、内壁面６ｃの全体や対応箇所複数を炭化するようにしてもよい。
さらに、上記両実施例においてはデジタルカメラ１としたが、本発明はデジタルカメラ１に限定されるものではなく、他の光学機器にも適用できることは言う迄もない。
また、本発明の技術範囲は上記の実施例に限定されるものではなく、本発明の趣旨を逸脱しない範囲において、種々の変更を加えることが可能である。
【図面の簡単な説明】
【００２２】
【図１】本発明の第１の実施例として示したデジタルカメラにおいて、前面の様子を示す斜視図である。
【図２】図１のＸ−Ｘ線矢視におけるデジタルカメラの要部を示す断面図である。
【図３】図１のデジタルカメラの背面の様子を示す斜視図である
【図４】炭化処理の様子を示す説明図である。
【図５】同実施例の炭化処理の第１変形例を示す説明図である。
【図６】同実施例の炭化処理の第２変形例を示す説明図である。
【図７】同実施例の炭化処理の第３変形例を示す説明図である。
【図８】本発明の第２の実施例の要部を示す断面図である。
【符号の説明】
【００２３】
４    円形開口部（光学的開口部）
４ａ，５ａ，２２ａ，２４ａ  周縁部
５    フロント矩形開口部（光学的開口部）
６    鏡枠
７    レンズ
１３  鏡枠開口部（光学的開口部）
２２  リア矩形開口部（光学的開口部）
２４  表示開口部（光学的開口部）
【図１】
2005208122.tif 000003
【図２】
2005208122.tif 000004
【図３】
2005208122.tif 000005
【図４】
2005208122.tif 000006
【図５】
2005208122.tif 000007
【図６】
2005208122.tif 000008
【図７】
2005208122.tif 000009
【図８】
2005208122.tif 000010